(57)【要約】【課題】Ｈ型鋼や基礎を用いることなく、現場施工が容易且つ簡易な構造で壁面保護材を支持し、また、該壁面保護材が積層構造体の経時的な沈下に追随して、積層構造体の壁面に安定的に壁面保護材を覆設する手段を提供する。【解決手段】本軽量盛土構造は、地盤の斜面１に軽量盛土ブロック２ａ，２ｂが単位ユニットとして積層されて積層構造体３が構成され、該積層構造体３の壁面に壁面保護材４が覆設されたものであり、該壁面保護材４は軽量盛土ブロック２ａに一体化された引張材５、支圧板６及び支持材７により支持されている。【選択図】      図１
2005042318.tif 000002
【特許請求の範囲】
【請求項１】
発泡合成樹脂からなる軽量盛土材の単位ユニットが積層されてなる積層構造体の壁面に壁面保護材が覆設された軽量盛土構造において、
前記軽量盛土材の単位ユニットに引張材が装入され、該引張材が、該単位ユニットの垂直面と接面した支圧板と連結されることにより前記壁面を構成する側面の方向に対して固定され、前記壁面保護材を支持する支持材が前記引張材と連結されることにより該側面に固定されて、前記引張材、支圧板、及び支持材が該単位ユニットと一体化されたことを特徴とする軽量盛土構造。
【請求項２】
前記支持材は、壁面保護材を上下方向に摺動可能に支持するものである請求項１記載の軽量盛土構造。
【請求項３】
前記壁面保護材は、植物育成用土を内包可能なものである請求項１又は２記載の軽量盛土構造。
【請求項４】
前記壁面保護材は、上端及び下端に相欠きが形成され、該相欠きが、上下方向に列設された壁面保護材の相欠きと完全に組み合わないように所定の寸法余裕をもって上下方向に連接されたものであることを特徴とする請求項１又は２記載の軽量盛土構造。
【請求項５】
軽量盛土構造の壁面側に軽量盛土材として積層される発泡合成樹脂製の軽量盛土ブロックであって、
軽量盛土ブロックに引張材が装入され、該引張材が、軽量盛土ブロックの垂直面と接面した支圧板と連結されることにより、前記壁面を構成する側面の方向に対して固定され、壁面保護材を支持する支持材が前記引張材と連結されることにより該側面に固定されて、前記引張材、支圧板、及び支持材が該軽量盛土ブロックと一体化されたことを特徴とする軽量盛土ブロック。
【発明の詳細な説明】
【０００１】
【発明の属する技術分野】
本発明は、発泡合成樹脂からなる軽量盛土材の単位ユニットが積層されてなる積層構造体の壁面に壁面保護材が覆設された軽量盛土構造における壁面保護材の支持構造に関する。
【０００２】
【従来の技術】
従来より、軟弱地盤の沈下、凍上防止、騒音防止、断熱効果の向上等を目的として、発泡合成樹脂製の軽量盛土ブロックを用いた軽量盛土工法が実用されており、例えば地盤が傾斜面である場合には、地盤上に複数の軽量盛土ブロックを載置して積層し、該積層構造体の壁面側に壁面防護材としてＰＣ（プレキャストコンクリート）パネルを覆設している。図１２は、従来の軽量盛土構造の一例を示すものであるが、傾斜面を有する地盤に基礎９０を敷設してＨ型鋼９１を立設し、該Ｈ型鋼９１に平板状のＰＣパネル９２を固定し、該ＰＣパネル９２より内側の傾斜面に軽量盛土ブロック９３を積層して積層構造体９４を形成し、該積層構造体９４の上面にアスファルト舗装やコンクリート舗装、敷石等の敷設材を設置した構造であり、これにより、軽量盛土構造上に道路や建造物を構築することができる。
【０００３】
しかし、従来の軽量盛土構造ではＨ型鋼９１を立設するために基礎９０を敷設する必要があり、盛土を行う傾斜地が軟弱地盤では基礎９０を敷設する前に杭打ちを行う必要も生じる。また、積層構造体９４の高さが高い場合には、Ｈ型鋼９１自体も長くなって重量が増え、更にＨ型鋼９１を支持する基礎９０も地中深くにまで打設する必要があり、クレーン等の大型の重機が必要になる等、工事が大掛かりになり、軟弱地盤や傾斜地では現場へのＨ型鋼９１の運搬も困難である等の問題があった。また、積層構造体９４は経時的に沈下する場合があるが、ＰＣパネル９２が該沈下に追随しないためＰＣパネル９２に負荷が集中して、ＰＣパネル９２の継合部分で座屈が生じたりするおそれもある。
【０００４】
これに対し、Ｈ型鋼を用いずにＰＣパネル等の壁面保護材を軽量盛土ブロックの壁面側に設ける構成が考案されている。図１３は、その軽量盛土構造の一部分を示すものであるが、傾斜面を有する軟弱地盤に敷石等を適宜敷設して軽量盛土ブロック９３を積層し、該軽量盛土ブロック９３間の境界に、上下方向に爪が突設された平板状の支持材９５を介在させるとともに、該支持材９５を傾斜面に打ち込んだアンカー９６とアンカーベルト９７により連結して固定し、該支持材９５にＰＣパネル９８を支持させることにより、積層構造体９４の壁面にＰＣパネル９８が覆設されている。また、該ＰＣパネル９８の上下端に相欠きが形成されており、積層構造体９４が沈下した場合に、ＰＣパネル９８も上下方向に移動できるようになっている（特許文献１参照）。
【０００５】
【特許文献１】
特開平１０−１６８９０９号公報
【０００６】
【発明が解決しようとする課題】
しかし、軽量盛土ブロック９３間に支持材９５やアンカーベルト９７を挟み込むと、支持材９５等がない部分に空間が生じるので、積層構造体９４の経時的な沈下が大きくなるという欠点がある。また、施工時に多数の支持材９５に対応して多数のアンカー９６を斜面に打ち込むとともに両部材をアンカーベルト９７で連結する作業が必要となり、作業効率がよくないという問題もある。また、アンカー９６及びアンカーベルト９７は積層構造体９４の経時的な沈下に追随しないので、アンカーベルト９７に垂直方向の負荷が加わって破断するおそれもある。一方、アンカー９６及びアンカーベルト９７を設けないこととすれば、軽量盛土ブロック９３に貫入している支持材９５の爪によってのみＰＣパネル９８を支持することとなり、十分な支持強度が得られない。
【０００７】
本発明は、これらの点に鑑みてなされたものであり、Ｈ型鋼や基礎を用いることなく、現場施工が容易且つ簡易な構造で壁面保護材を支持し、また、該壁面保護材が積層構造体の経時的な沈下に追随して、積層構造体の壁面に安定的に壁面保護材を覆設する手段を提供することを目的とする。
【０００８】
【課題を解決するための手段】
前記課題を解決するためになされた本発明は、発泡合成樹脂からなる軽量盛土材の単位ユニットが積層されてなる積層構造体の壁面に壁面保護材が覆設された軽量盛土構造において、前記軽量盛土材の単位ユニットに引張材が装入され、該引張材が、該単位ユニットの垂直面と接面した支圧板と連結されることにより、前記壁面を構成する側面の方向に対して固定され、前記壁面保護材を支持する支持材が前記引張材と連結されることにより該側面に固定されて、前記引張材、支圧板、及び支持材が該単位ユニットと一体化されたものである。引張材、支圧板、及び支持材が軽量盛土材の単位ユニットと一体化されているので、経時的な沈降の原因となる隙間なく軽量盛土材の単位ユニットが積層され、また、引張材、支圧板、及び支持材は該軽量盛土材の単位ユニットの動きに追随するので、軽量盛土材の沈下により引張材、支圧板、及び支持材に負荷が加わることがない。また、引張材、支圧板、及び支持材を軽量盛土材の単位ユニットと予め一体化しておくことができ、現場作業の軽減を図ることができる。
【０００９】
また、本発明は、前記軽量盛土構造において、前記支持材は、壁面保護材を上下方向に摺動可能に支持するものである。これにより、軽量盛土材が上下方向に動いても該動きが壁面保護材に伝達することがないので、軽量盛土材の沈下により引張材、支圧板、及び支持材も連動して動いても、壁面保護材に負荷が加わらず継合部分で座屈等することがない。
【００１０】
また、本発明は、前記軽量盛土構造において、前記壁面保護材は、植物育成用土を内包可能なものである。例えば、壁面保護材を網状の部材を適宜連結したものとして、その内部空間に植物育成用土を内包させることにより、軽量盛土構造の壁面を緑化することができる。
【００１１】
また、本発明は、前記軽量盛土構造において、前記壁面保護材は、上端及び下端に相欠きが形成され、該相欠きが、上下方向に列設された壁面保護材の相欠きと完全に組み合わないように所定の寸法余裕をもって上下方向に連接されたものである。これにより、壁面保護材が軽量盛土材の単位ユニットの動きに追随することが可能となり、軽量盛土材の沈下により壁面保護材に無理な負荷が加わることがない。
【００１２】
また、本発明は、軽量盛土構造の壁面側に軽量盛土材として積層される発泡合成樹脂製の軽量盛土ブロックであって、軽量盛土ブロックに引張材が装入され、該引張材が、軽量盛土ブロックの垂直面と接面した支圧板と連結されることにより、前記壁面を構成する側面の方向に対して固定され、壁面保護材を支持する支持材が前記引張材と連結されることにより該側面に固定されて、前記引張材、支圧板、及び支持材が該軽量盛土ブロックと一体化されたものである。予め工場等において、引張材、支圧板、及び支持材と軽量盛土ブロックとを一体化しておくことにより、現場作業の軽減を図ることができる。
【００１３】
【発明の実施の形態】
以下、本発明の実施の形態に係る軽量盛土構造を図面に基づき具体的に説明する。
本軽量盛土構造は、図１に示すように、地盤の斜面１に軽量盛土ブロック２ａ，２ｂ（軽量盛土材）が単位ユニットとして積層されて積層構造体３が構成され、該積層構造体３の壁面に壁面保護材４が覆設されたものであり、該壁面保護材４は軽量盛土ブロック２ａに一体化された引張材５、支圧板６及び支持材７により支持されている。なお、軽量盛土ブロックの下層には整地や水はけを目的に砕石が敷設され、積層構造体３の上層には、アスファルト舗装やコンクリート舗装がなされるが、これらは周知且つ任意なものであるので詳細な説明は省略する。
【００１４】
図２は、前記積層構造体３の壁面側に積層されている軽量盛土ブロック２ａを示すものであるが、軽量盛土ブロック２ａは、図に示すように、例えば、ポリスチレン、ポリオレフィン、ウレタン等の合成樹脂の発泡体からなる直方体であり、その大きさは特に限定されるものではなく、積層方法によって多種の大きさの物を用いることもできるが、その幅×奥行×高さは概ね１０００ｍｍ×２０００ｍｍ×５００ｍｍ程度のものである。図２においては、軽量盛土ブロック２ａの手前側の側面２０が、図１に示した前記積層構造体３の谷側の壁面を構成し、該側面２０を覆うように前記壁面保護材４が設けられることとなる。図には示していないが、前記軽量盛土ブロック２ｂも軽量盛土ブロック２ａと同様の発泡合成樹脂製の直方体であるが、図１に示すように、積層構造体３の内部に配設されるものであり、前記軽量盛土ブロック２ａのように積層構造体３の壁面を構成するものではない。このような発泡合成樹脂製の軽量盛土ブロック２ａ，２ｂを用いて盛土を行うことにより、盛土が地面に与える負荷を少なくすることができるので、特に沈下のおそれのある軟弱地盤に好適である。なお、軽量盛土ブロック２ａ，２ｂの形状は概ね直方体であるが、排水用の溝等を適宜形成したり、積層構造体３の形状等に従って切断等の現場加工を施してもよい。例えば、軽量盛土ブロック２ａ，２ｂの上下面及び側面に凹溝を複数形成し、該凹溝が積層された軽量盛土ブロック２ａ，２ｂ間において連通するようにすれば、積層構造体３に雨水等の排水路が形成され、冠水等により軽量盛土ブロック２ａ，２ｂに浮力が生じることを防止できるので好適である。
【００１５】
また、前記軽量盛土ブロック２ａには、前記側面２０と該側面２０と対向する背面２１を水平方向に貫通するように貫通孔が形成されており、該貫通孔に棒状の引張材５が装入されている。該引張材５は、背面２１と接面する支圧板６と、側面２０に固定される支持材７とを連結するものであり、支持材７に壁面保護材４が連結された状態で、該支持材７を側面２０に固定できる強度を有するものである。このような引張材５としては、金属や合成樹脂、それらの繊維束等を用いることができる。なお、本実施の形態では、引張材５を棒状のものとしたが、例えば平板や帯状等の他の形態とすることも可能である。
【００１６】
支圧板６は、軽量盛土ブロック２ａの背面２１、即ち前記引張材５の長手方向に直交する垂直面と接面した状態で該引張材５と連結されている。該支圧板６は、矩形の平板６０と該平板６０に配設された連結部６１とからなるものであり、平板６０と軽量盛土ブロック２ａの背面２１とが接面することにより、側面２０方向に対する支持力を引張材５に付与している。連結部６１は、引張材５との関係で周知且つ任意の構成を採用することができ、例えば、引張材５が鋼材であれば、引張材５の端部に雄ネジを、連結部６１の内面に雌ネジを形成して、引張材５と支圧板６とを連結することができる。また、軽量盛土ブロック２ａ，２ｂを隙間なく積層するためには、軽量盛土ブロック２ａの背面２１に支圧板６が埋没可能な凹陥を形成して、支圧板６が軽量盛土ブロック２ａの背面２１から後方へ突出しないようにすることが好ましい。
【００１７】
支持材７は、前記引張材５と連結されることにより軽量盛土ブロック２ａの側面２０に固定されている。該支持材７は、側面２０と同高さの矩形の平板７０と該平板７０の背面に配設された連結部７１と、該平板７０の表面に垂直方向に所定間隔で列設された支持リング７２とからなるものであり、前記引張材５からの引張力を受けて、該平板７０が側面２０に圧接することにより固定されている。連結部７１は、前記連結部６１と同様に周知且つ任意の構成を採用することができる。また、前記平板７０が側面２０と圧接できるように、軽量盛土ブロック２ａの側面２０に該連結部７１が埋没可能な凹陥が形成されている。支持リング７２は、内空の軸線を上下方向に向けて平板７０に固定されており、所定間隔で列設された３つの支持リング７２は、各内空の軸線が同一軸線となるように配置されている。
【００１８】
このように、積層構造体３の壁面側に積層される軽量盛土ブロック２ａには、引張材５、支圧板６、及び支持材７が一体化されている。図２に示すように、該引張材５、支圧板６、及び支持材７は、軽量盛土ブロック２ａの側面２０に対して左右２個所に対称に設けることにより壁面保護材４を安定的に支持できるので好ましいが、軽量盛土ブロック２ａの側面２０の大きさやコスト等を考慮して適宜増減できることは勿論である。軽量盛土ブロック２ａと引張材５、支圧板６、及び支持材７との一体化は、軽量盛土ブロック２ａを発泡成形する工場等で予め行うことができ、これにより、現場での施工時に斜面にアンカーを打ち込んだり、軽量盛土ブロック２ａ，２ｂ間に支持材を配設する必要がなく、現場作業の工数が軽減されて作業の効率化を図ることができる。また、引張材５、支圧板６、及び支持材７が軽量盛土ブロック２ａと一体化されることにより、軽量盛土ブロック２ａを経時的な沈降の原因となる隙間なく積層することができ、また、引張材５、支圧板６、及び支持材７が軽量盛土ブロック２ａの動きに追随するので、積層構造体３の沈下等により、引張材５、支圧板６、及び支持材７に無理な負荷が加わって破断等が生じることがない。
【００１９】
なお、本実施の形態では、支圧板６は軽量盛土ブロック２ａの背面２１と接面するものとしたが、図３に示すように、支圧板６を軽量盛土ブロック２ａの内部に埋設することも可能である。例えば、引張材５、支圧板６、及び支持材７を軽量盛土ブロック２ａを発泡成形するための金型空間内に配置して発泡成形を行うことにより、図２に示すような、引張材５、支圧板６、及び支持材７が一体化された軽量盛土ブロック２ａを得ることができる。この場合、支圧板６の平板６０が接面する軽量盛土ブロック２ａの垂直面は、軽量盛土ブロック２ａ内に支圧板６が埋設される空間として形成されている。また、図には示していないが、引張材５及び支圧板６の装入は、必ずしも貫通孔等による必要はなく、例えば、軽量盛土ブロック２ａの上面から垂直方向に凹欠された溝を側面２０から背面２１へ渡って形成し、該溝に引張材５を嵌め込むことにより、引張材５を軽量盛土ブロック２ａに装入することも可能であり、また、該溝を排水路用の溝として併用することもできる。
【００２０】
図４は、前記積層構造体３の壁面側に覆設されている壁面保護材４を示すものであるが、該壁面保護材４は、図に示すように、矩形のパネル４０と、該パネル４０の背面側にブラケット４１により支持された支持棒４２とからなるものである。パネル４０は、例えば、コンクリートや合成樹脂等からなるものであり、その大きさは特に限定されるものではないが、前記軽量盛土ブロック２ａの側面２０と同じ大きさのものである。該パネル４０の背面中央付近の上下端には、クランプ機能を有するブラケット４１が固定されており、該ブラケット４１により、支持棒４２がパネル４０の背面から離間されて支持されている。支持棒４２は、例えば、金属や合成樹脂等からなり、前記支持材７の支持リング７２に挿入可能な外径のものである。
【００２１】
図５は、前記軽量盛土ブロック２ａの壁面側に壁面保護材４が覆設された状態を示すものであるが、図に示すように、引張材５の引張力により軽量盛土ブロック２ａの側面２０に固定された支持材７の支持リング７２に前記壁面保護材４の支持棒４２が挿通されることにより、該支持材７が、上下方向に摺動自在な状態で壁面保護材４を支持している。図１に示すように、壁面保護材４は、その上下に覆設された他の壁面保護材４の上下端と当接するようにして覆設されているので、上下方向に対しては他の壁面保護材４上に載置され、水平方向に対しては支持材７により支持された状態となる。これにより、積層構造体３の経時的な沈下等により軽量盛土ブロック２ａが上下方向に動き、該動きに連動して引張材５、支圧板６、及び支持材７が動いても、壁面保護材４には上下方向の動きが伝達しないので、壁面保護材４に無理な負荷が加わらず、継合部分で座屈等することがない。
【００２２】
なお、本実施の形態では、壁面保護材４を軽量盛土ブロック２ａの側面２０と同じ大きさとして、積層構造体３の壁面側に積層される軽量盛土ブロックをすべて軽量盛土ブロック２ａとし、各軽量盛土ブロック２ａの支持材７に壁面保護材４を支持させたが、例えば壁面保護材４を軽量盛土ブロック２ａの側面２０の２面分の大きさとする等すれば、積層構造体３の壁面側すべて軽量盛土ブロック２ａとする必要はなく、軽量盛土ブロック２ｂと交互に配置すればよい。また、本実施の形態では、積層構造体３を構成する軽量盛土材は、工場等で予め発泡成形された軽量盛土ブロック２ａ，２ｂとしたが、ウレタン樹脂を現場で吹き付けて発泡させた軽量盛土材を用いることも可能である。この場合、軽量盛土材の単位ユニットは、積層構造体を構成する所定の厚みの各層であり、各層の壁面側に引張材５、支圧板６、及び支持材７を配置してウレタン樹脂を吹き付けることにより、軽量盛土材の単位ユニットと、引張材５、支圧板６、及び支持材７とを一体化させればよい。
【００２３】
以下、本発明の第２の実施の形態に係る軽量盛土構造について説明する。
本軽量盛土構造は、前記第１の実施の形態に係る軽量盛土構造と、壁面保護材４及び支持材７の構成のみが異なり、図において同一符号のものは前述と同一のものを示している。図６に示すように、軽量盛土ブロック２ａの側面２０には、引張材５により支持材７Ａが固定されている。該支持材７Ａは、矩形の平板７０と該平板７０の背面に配設された連結部７１と、該平板７０の表面に上下方向に所定間隔で列設された挟持片７３とからなるものである。挟持片７３は、図に示すように、鉤状の挟持部７３ａを有し、左右対称に離間されて一対が配設され、該一対の挟持片７３が、上下方向に所定間隔で列設されている。
【００２４】
一方、壁面保護材４Ａは、図に示すように、矩形のパネル４０と、該パネル４０の背面側にボルト固定されたＨ型鋼４３とからなるものである。Ｈ型鋼４３は、フランジ部４３ａをパネル４０の背面から突出するように固定されており、図に示すように、引張材５の引張力により軽量盛土ブロック２ａの側面２０に固定された支持材７Ａの一対の挟持片７３が、該フランジ部４３ａを両側から取り囲むように嵌め合されることにより、支持材７Ａが、上下方向に摺動自在な状態でＨ型鋼４３を支持している。これにより、前記第１の実施の形態と同様に、積層構造体３の経時的な沈下等により軽量盛土ブロック２ａが上下方向に動き、該動きに連動して引張材５、支圧板６、及び支持材７Ａが動いても、壁面保護材４Ａには上下方向の動きが伝達しないので、壁面保護材４Ａに無理な負荷が加わらず、継合部分で座屈等することがない。
【００２５】
以下、本発明の第３の実施の形態に係る軽量盛土構造について説明する。
本軽量盛土構造も、前記第１の実施の形態に係る軽量盛土構造と、壁面保護材４及び支持材７の構成のみが異なり、図において同一符号のものは前述と同一のものを示している。図７に示すように、軽量盛土ブロック２ａの側面２０には、引張材５により支持材７Ｂが固定されている。該支持材７Ｂは、矩形の平板７０と該平板７０の背面に配設された連結部７１と、該平板７０の表面に上下方向に所定間隔で列設されたＬ型フランジ７４とからなるものである。Ｌ型フランジ７４は、図に示すように、底辺に挿通孔７４ａが形成されており、該挿通孔７４ａが同一軸線となるように、上下方向に所定間隔で列設されている。
【００２６】
一方、壁面保護材４Ｂは、図に示すように、矩形のパネル４０と、該パネル４０の背面側にボルト固定されたフック４４とからなるものである。該フック４４は、下方へ向かってＬ字型に曲折したものであり、パネル４０の背面に、前記Ｌ型フランジ７４と同一間隔で固定されており、図に示すように、引張材５の引張力により軽量盛土ブロック２ａの側面２０に固定された支持材７Ｂの各Ｌ型フランジ７４の挿通孔７４ａに対して、該フック４４を上方から挿通して係止することにより、支持材７Ｂが、上下方向に摺動自在な状態で壁面保護材４Ｂを支持する。これにより、前記第１の実施の形態と同様に、積層構造体３の経時的な沈下等により軽量盛土ブロック２ａが上下方向に動き、該動きに連動して引張材５、支圧板６、及び支持材７Ｂが動いても、壁面保護材４Ｂには上下方向の動きが伝達しないので、壁面保護材４Ｂに無理な負荷が加わらず、継合部分で座屈等することがない。なお、前記Ｌ型フランジ７４の挿通孔７４ａを水平方向の長穴とすれば、該Ｌ型フランジ７４にフック４４を介して係止された壁面保護材４Ｂが水平方向にも位置調整可能となるので好適である。
【００２７】
以下、本発明の第４の実施の形態に係る軽量盛土構造について説明する。
本軽量盛土構造も、前記第１の実施の形態に係る軽量盛土構造と、壁面保護材４及び支持材７の構成のみが異なり、図において同一符号のものは前述と同一のものを示している。図８に示すように、軽量盛土ブロック２ａの側面２０には、引張材５により支持材７Ｃが固定されている。該支持材７Ｃは、矩形の平板７０と該平板７０の背面に配設された連結部７１と、該平板７０の表面に上下方向および幅方向に所定間隔で列設されたＬ型ブラケット７５とからなるものである。Ｌ型ブラケット７５は上下方向に３つが１列に設けられ、該１列のＬ型ブラケット７５が幅方向に２列設けられている。また、図には示していないが、各Ｌ型ブラケット７５には、平板７０から突出した突部７０ａにボルト孔が穿たれている。
【００２８】
一方、壁面保護材４Ｃは、図に示すように、矩形のパネル４０と、該パネル４０の背面側にボルト固定されたＬ型ブラケット４５とからなるものである。該Ｌ型ブラケット４５は、パネル４０の高さと同じ長さであり、パネル４０の背面に幅方向の左右に２つ設けられている。また、各パネル４０の背面から突出したＬ型ブラケット４５の突部４５ａには、前記Ｌ型ブラケット７５に対応させて３つの上下方向の長穴４６が形成されている。図に示すように、引張材５の引張力により軽量盛土ブロック２ａの側面２０に固定された支持材７ＣのＬ型ブラケット７５と、パネル４０の背面に固定されたＬ型ブラケット４５の長穴４６とを対応させ、各Ｌ型ブラケット７５のボルト孔及び長穴４６にボルト７６を夫々挿通して、Ｌ型ブラケット４５，７５を完全に締結しない程度にやや緩めにナット７７を螺合することにより、支持材７Ｃが、上下方向に摺動自在な状態で壁面保護材４Ｃを支持している。これにより、前記第１の実施の形態と同様に、積層構造体３の経時的な沈下等により軽量盛土ブロック２ａが上下方向に動き、該動きに連動して引張材５、支圧板６、及び支持材７Ｃが動いても、壁面保護材４Ｃには上下方向の動きが伝達しないので、壁面保護材４Ｃに無理な負荷が加わらず、継合部分で座屈等することがない。
【００２９】
以下、本発明の第５の実施の形態に係る軽量盛土構造について説明する。
本軽量盛土構造は、前記第１の実施の形態に係る軽量盛土構造と、壁面保護材４のみが異なり、図において同一符号のものは前述と同一のものを示している。図９及び図１０に示すように、本実施の形態に係る壁面保護材８は、２枚の網状部材８０が前方へ突出するように連結されてなるものであり、該網状部材８０に渡って上下方向に支持棒８１が左右対称に２本架設されている。網状部材８０としては、炭素繊維、合成樹脂、繊維強化プラスチック、不織布等を用いることができ、植物育成用土を内包できればよい。支持棒８１は、例えば、金属や合成樹脂等からなり、軽量盛土ブロック２ａの側面２０に固定された支持材７の支持リング７２に挿入可能な外径のものである。なお、本実施の形態では、網状部材８０を安定的に支持するために前記支持棒８１を左右２個所に対称に設けているが、軽量盛土ブロック２ａの側面２０の大きさやコスト等を考慮して支持棒８１の本数を適宜増減できることは勿論である。
【００３０】
図１０は、軽量盛土ブロック２ａの壁面側に前記壁面保護材８が覆設された状態を示すものであるが、図に示すように、引張材５の引張力により軽量盛土ブロック２ａの側面２０に固定された支持材７の支持リング７２に前記壁面保護材８の支持棒８１が挿通されることにより、該支持材７が、上下方向に摺動自在な状態で壁面保護材８を支持している。図に示すように、壁面保護材８の網状部材８０の一端を軽量盛土ブロック２ａ間に挟持させるようにしてもよい。このようにして軽量盛土ブロック２ａの側面２０に覆設された壁面保護材８に植物育成用土を内包させることにより、軽量盛土構造の壁面を緑化することができる。
【００３１】
以下、本発明の第６の実施の形態に係る軽量盛土構造について説明する。
本軽量盛土構造は、前記第１の実施の形態に係る軽量盛土構造と、壁面保護材４及び支持材７の構成のみが異なり、図において同一符号のものは前述と同一のものを示している。図１１に示すように、軽量盛土ブロック２ａの側面２０には、引張材５により支持材７Ｃが固定されている。該支持材７Ｃは、前記第４の実施の形態で説明したものであり、矩形の平板７０と該平板７０の背面に配設された連結部７１と、該平板７０の表面に上下方向および幅方向に所定間隔で列設されたＬ型ブラケット７５とからなるものであり、各Ｌ型ブラケット７５には、平板７０から突出した部分にボルト孔が穿たれている。
【００３２】
一方、壁面保護材４Ｄは、図に示すように、矩形のパネル４７と、該パネル４７の背面側にボルト固定されたＬ型ブラケット４８とからなるものである。パネル４７は、上端及び下端に相欠き４７ａが夫々形成されている。該相欠き４７ａは、上下方向に列設された各壁面保護材４Ｄの相欠き４７ａとは完全に組み合わないものであり、図に示すように、所定の寸法余裕ｄだけ余分に上下方向に切り欠かれている。Ｌ型ブラケット４８は、パネル４７の背面の高さと同じ長さであり、図には示していないが、パネル４７の背面に幅方向の左右２個所に設けられている。また、各パネル４７の背面に設けられたＬ型ブラケット４８には、前記Ｌ型ブラケット７５に対応させてボルト孔が穿たれている。
【００３３】
図１１に示すように、引張材５の引張力により軽量盛土ブロック２ａの側面２０に固定された支持材７ＣのＬ型ブラケット７５のボルト孔と、パネル４７の背面に固定されたＬ型ブラケット４８のボルト孔とを対応させてボルト７６及びナット７７で緊締することにより、支持材７Ｃに壁面保護材４Ｄが固定される。前述したように、この状態では、各パネル４７の相欠き４７ａは完全に組み合わずに接した状態であり、各相欠き４７ａには所定の寸法余裕ｄが生じている。従って、壁面保護材４Ｄが軽量盛土ブロック２ａの動きに追随しても、該動き分は寸法余裕ｄにより吸収され、積層構造体３の経時的な沈下等により壁面保護材４Ｄに無理な負荷が加わらず、継合部分で座屈等することがない。
【００３４】
【発明の効果】
このように、本発明に係る軽量盛土構造によれば、軽量盛土材の単位ユニットに引張材が装入され、該引張材が、該単位ユニットの垂直面と接面した支圧板と連結されることにより、壁面を構成する側面の方向に対して固定され、前記壁面保護材を支持する支持材が前記引張材と連結されることにより該側面に固定されて、前記引張材、支圧板、及び支持材が該単位ユニットと一体化されたので、経時的な沈降の原因となる隙間なく軽量盛土材の単位ユニットを積層することができる。また、引張材、支圧板、及び支持材が軽量盛土材の単位ユニットの動きに追随するので、軽量盛土材の沈下により引張材、支圧板、及び支持材に負荷が加わらず、これら部材の破断等が生じない。また、引張材、支圧板、及び支持材を軽量盛土材の単位ユニットと予め一体化しておくことにより、現場作業が軽減される。
【００３５】
また、本発明によれば、前記支持材は、壁面保護材を上下方向に摺動可能に支持するものとしたので、軽量盛土材が上下方向に動いても該動きが壁面保護材に伝達せず、壁面保護材に無理な負荷が加わらない。
【００３６】
また、本発明によれば、前記壁面保護材を植物育成用土を内包可能なものとすることにより、軽量盛土構造の壁面を緑化することができる。
【００３７】
また、本発明によれば、前記壁面保護材の上端及び下端に相欠きが形成され、該相欠きが、上下方向に列設された壁面保護材の相欠きと完全に組み合わないように所定の寸法余裕をもって上下方向に連接されたので、壁面保護材が軽量盛土材の単位ユニットの動きに追随することが可能となり、軽量盛土材の沈下により壁面保護材に無理な負荷が加わることがない。
【図面の簡単な説明】
【符号の説明】
【図１】本発明の第１の実施の形態に係る軽量盛土構造を示す斜視図である。
【図２】引張材５、支圧板６、及び支持材７が一体化された軽量盛土ブロック２ａを構成を示す斜視図である。
【図３】引張材５、支圧板６、及び支持材７が一体化された軽量盛土ブロック２ａを構成を示す斜視図である。
【図４】壁面保護材４の構成を示す斜視図である。
【図５】（ａ）は、支持材７に支持された壁面保護材４を示す部分断面図であり、（ｂ）は、支持材７に支持された壁面保護材４を示す部分平面図である。
【図６】（ａ）は、第２の実施の形態に係る支持材７Ａに支持された壁面保護材４Ａを示す部分断面図であり、（ｂ）は、支持材７Ａに支持された壁面保護材４Ａを示す部分平面図である。
【図７】第３の実施の形態に係る支持材７Ｂに支持される壁面保護材４Ｂを示す部分断面図である。
【図８】（ａ）は、第４の実施の形態に係る支持材７Ｃに支持された壁面保護材４Ｃを示す部分断面図であり、（ｂ）は、支持材７Ｃに支持された壁面保護材４Ｃを示す部分平面図である。
【図９】第５の実施の形態に係る壁面保護材８の構成を示す斜視図である。
【図１０】支持材７に支持された壁面保護材８を示す部分断面図である。
【図１１】第６の実施の形態に係る支持材７Ｃに支持された壁面保護材４Ｄを示す部分断面図である。
【図１２】従来の軽量盛土構造を示す断面図である。
【図１３】Ｈ型鋼を使用しない従来の軽量盛土構造を示す断面図である。
【符号の説明】
２ａ  軽量盛土ブロック
３  積層構造体
４，４Ａ，４Ｂ，４Ｃ，４Ｄ，８  壁面保護材
５  引張材
６  支圧板
７，７Ａ，７Ｂ，７Ｃ  支持材
４７ａ  相欠き
【図１】
2005042318.tif 000003
【図２】
2005042318.tif 000004
【図３】
2005042318.tif 000005
【図４】
2005042318.tif 000006
【図５】
2005042318.tif 000007
【図６】
2005042318.tif 000008
【図７】
2005042318.tif 000009
【図８】
2005042318.tif 000010
【図９】
2005042318.tif 000011
【図１０】
2005042318.tif 000012
【図１１】
2005042318.tif 000013
【図１２】
2005042318.tif 000014
【図１３】
2005042318.tif 000015